(57)【要約】【課題】複数種類の伝送要素を伝送可能で、配線接続の手間を少なくした情報コンセントを提供する。【解決手段】本実施形態の情報コンセント１は、壁材５０に設けた取付用の孔５１に後部を挿入した状態で壁材５０に取り付けられる本体１０を備える。本体１０の後部には、１対以上のツイストペア線を有しツイストペア線を介して複数種類の伝送要素を伝送する第１の伝送ケーブルＬ１が、壁材５０の裏側から接続される第１接続部２１が設けられている。本体１０の表側には、電気機器６０からの第２の伝送ケーブルＬ２が接続される第２接続部２２が設けられ、第２接続部２２に接続される電気機器６０と伝送ケーブルＬ２との間で伝送要素が伝送されるように構成されている。【選択図】図１
2015002589.tif 000002
【特許請求の範囲】
【請求項１】
壁材に設けた取付用の孔に後部を挿入した状態で前記壁材に取り付けられる本体を備え、
１対以上のツイストペア線を有し前記ツイストペア線を介して複数種類の伝送要素を伝送する第１の伝送ケーブルが前記壁材の裏側から接続される第１接続部が前記本体の後部に設けられ、
電気機器からの第２の伝送ケーブルが接続される第２接続部が前記本体の表側に設けられ、
前記第２接続部に接続される電気機器と、前記第１接続部に接続される前記第１の伝送ケーブルとの間で前記伝送要素が伝送されるように構成されたことを特徴とする情報コンセント。
【請求項２】
前記第１接続部と前記第２接続部との間に前記伝送要素の電気的な処理を行う信号処理部を備えたことを特徴とする請求項１記載の情報コンセント。
【請求項３】
前記信号処理部が、前記第１の伝送ケーブルを介して伝送される前記伝送要素と前記第２の伝送ケーブルを介して伝送される前記伝送要素との間で信号プロトコルを変換する処理、前記第１接続部と複数ある前記第２接続部との間で前記伝送要素を中継する処理、前記第１接続部及び前記第２接続部のうちの一方から入力された前記伝送要素の信号波形を整形して他方に出力する処理のうち何れかの処理を行うように構成されたことを特徴とする請求項２記載の情報コンセント。
【請求項４】
前記第１接続部には、ＬＡＮケーブルである前記第１の伝送ケーブルが接続され、
前記第２接続部は、ＲＪ−４５型のモジュラプラグが着脱自在に接続されるモジュラジャックであることを特徴とする請求項１乃至３の何れか１項に記載の情報コンセント。
【請求項５】
前記第１接続部には、ＬＡＮケーブルである前記第１の伝送ケーブルが接続され、
前記第２接続部は、ＵＳＢ規格に適合したプラグが着脱自在に接続されるレセプタクルであることを特徴とする請求項１乃至３の何れか１項に記載の情報コンセント。
【請求項６】
前記第２接続部が複数あることを特徴とする請求項１乃至５の何れか１項に記載の情報コンセント。
【請求項７】
動作状態を点灯状態で表示するための表示灯が前記本体の表側に設けられたことを特徴とする請求項１乃至６の何れか１項に記載の情報コンセント。
【請求項８】
前記第１の伝送ケーブルを介して伝送される前記伝送要素が電力を含み、
電気機器へ給電するための電源ケーブルが接続される第３接続部が前記本体の表側に設けられ、
前記第１接続部を介して入力される電力を所望の電力に変換して前記第３接続部に出力する電源回路を備えたことを特徴とする請求項１乃至７の何れか１項に記載の情報コンセント。
【発明の詳細な説明】
【技術分野】
【０００１】
本発明は、情報コンセントに関するものである。
【背景技術】
【０００２】
従来、上部ネットワーク機器に接続される下部ネットワーク機器と、構内宅内ネットワークの起点に設置されたＡＣアダプタ兼集線装置との間を、ＵＴＰケーブルで接続した構内宅内配線法が提案されていた（例えば特許文献１参照）。
【０００３】
ＡＣアダプタ兼集線装置には構内宅内ネットワークを介してパソコンなどの端末が接続される。またＡＣアダプタ兼集線装置には電力システムからの電力線が接続され、ＡＣアダプタ兼集線装置が内蔵するＡＣ／ＤＣ電源ユニットによって交流電力が直流電力に変換され、ＵＴＰケーブルを介して下部ネットワーク機器に直流電力が供給されている。また、構内宅内ネットワークの端末は、ＡＣアダプタ兼集線装置を介して下部ネットワークとの間でイーサネット（登録商標）の規格にしたがって信号を送受信している。
【先行技術文献】
【特許文献】
【０００４】
【特許文献１】特開２００３−２７４５４２号公報
【発明の概要】
【発明が解決しようとする課題】
【０００５】
上述した従来の構内宅内配線法では、ＡＣアダプタ兼集線装置に、下部ネットワーク機器を接続するＵＴＰケーブルと、構内宅内ネットワークの端末を接続するＵＴＰケーブルの他に、交流電源を供給する電力線を接続する必要があり、配線の手間がかかっていた。
【０００６】
本発明は上記課題に鑑みて為されたものであり、その目的とするところは、複数種類の伝送要素を伝送可能で、配線接続の手間を少なくした情報コンセントを提供することにある。
【課題を解決するための手段】
【０００７】
本発明の情報コンセントは、壁材に設けた取付用の孔に後部を挿入した状態で前記壁材に取り付けられる本体を備え、１対以上のツイストペア線を有し前記ツイストペア線を介して複数種類の伝送要素を伝送する第１の伝送ケーブルが前記壁材の裏側から接続される第１接続部が前記本体の後部に設けられ、電気機器からの第２の伝送ケーブルが接続される第２接続部が前記本体の表側に設けられ、前記第２接続部に接続される電気機器と、前記第１接続部に接続される前記第１の伝送ケーブルとの間で前記伝送要素が伝送されるように構成されたことを特徴とする。
【０００８】
この情報コンセントにおいて、前記第１接続部と前記第２接続部との間に前記伝送要素の電気的な処理を行う信号処理部を備えることも好ましい。
【０００９】
この情報コンセントにおいて、前記信号処理部が、前記第１の伝送ケーブルを介して伝送される前記伝送要素と前記第２の伝送ケーブルを介して伝送される前記伝送要素との間で信号プロトコルを変換する処理、前記第１接続部と複数ある前記第２接続部との間で前記伝送要素を中継する処理、前記第１接続部及び前記第２接続部のうちの一方から入力された前記伝送要素の信号波形を整形して他方に出力する処理のうち何れかの処理を行うように構成されることも好ましい。
【００１０】
この情報コンセントにおいて、前記第１接続部には、ＬＡＮケーブルである前記第１の伝送ケーブルが接続され、前記第２接続部は、ＲＪ−４５型のモジュラプラグが着脱自在に接続されるモジュラジャックであることも好ましい。
【００１１】
この情報コンセントにおいて、前記第１接続部には、ＬＡＮケーブルである前記第１の伝送ケーブルが接続され、前記第２接続部は、ＵＳＢ規格に適合したプラグが着脱自在に接続されるレセプタクルであることも好ましい。
【００１２】
この情報コンセントにおいて、前記第２接続部が複数あることも好ましい。
【００１３】
この情報コンセントにおいて、動作状態を点灯状態で表示するための表示灯が前記本体の表側に設けられることも好ましい。
【００１４】
この情報コンセントにおいて、前記第１の伝送ケーブルを介して伝送される前記伝送要素が電力を含み、電気機器へ給電するための電源ケーブルが接続される第３接続部が前記本体の表側に設けられ、前記第１接続部を介して入力される電力を所望の電力に変換して前記第３接続部に出力する電源回路を備えることも好ましい。
【発明の効果】
【００１５】
本発明によれば、本体の裏側に設けられた第１接続部に壁材の裏側に配線された第１の伝送ケーブルを接続し、本体の表側に設けられた第２接続部に第２の伝送ケーブルを接続するだけで、電気機器に対して複数種類の伝送要素を伝送することができる。したがって、電気機器に対して複数種類の伝送要素を伝送するために、電気機器を接続する第２の伝送ケーブル以外に、複数本の伝送ケーブルを接続しなくてもよく、配線接続の手間を少なくした情報コンセントを実現することができる。
【図面の簡単な説明】
【００１６】
【図１】本実施形態の情報コンセントを示し、（ａ）は壁に取り付けた状態を示す模式図、（ｂ）（ｃ）は正面図である。
【図２】同上の他の形態を示し、（ａ）は壁に取り付けた状態を示す模式図、（ｂ）（ｃ）は正面図である。
【図３】同上のまた別の形態を示し、（ａ）は壁に取り付けた状態を示す模式図、（ｂ）（ｃ）は正面図である。
【図４】同上のさらに別の形態を示し、（ａ）は壁に取り付けた状態を示す模式図、（ｂ）は正面図である。
【発明を実施するための形態】
【００１７】
本発明に係る情報コンセントの実施形態を図面に基づいて説明する。
【００１８】
図１（ａ）は、壁材に取り付けられた情報コンセント１を模式的に示した断面図、図１（ｂ）は情報コンセント１の正面図である。
【００１９】
情報コンセント１は、壁材５０に設けた取付用の孔５１に後部を挿入した状態で壁材５０に取り付けられる本体１０を備える。本体１０の後部には、１対以上のツイストペア線を有し、これらのツイストペア線を介して複数種類の伝送要素を伝送するための第１の伝送ケーブルＬ１が壁材５０の裏側から接続される第１接続部２１が設けられている。本体１０の表側には、電気機器６０からの第２の伝送ケーブルＬ２が接続される第２接続部２２が設けられている。この情報コンセント１は、第２接続部２２に接続される電気機器６０と、第１接続部２１に接続される第１の伝送ケーブルＬ１との間で伝送要素が伝送されるように構成されている。本実施形態では伝送要素としてイーサネット（登録商標）の信号と電力の２つが伝送されるようになっている。
【００２０】
本体１０は、例えば日本工業規格（ＪＩＳ Ｃ ８３０３参照）に準拠した大きさに形成され、図示しない取付枠（例えばＪＩＳ Ｃ ８３７５で規格化された大角形連用配線器具の取付枠）を用いて壁材５０に取り付けられる。なお、取付枠には、取付枠の前面を覆うようにして化粧プレート１１が取り付けられている。
【００２１】
第１の伝送ケーブルＬ１及び第２の伝送ケーブルＬ２はそれぞれ４対８芯のツイストペア線からなり、イーサネット（登録商標）の信号と電力の両方を伝送することによってＰｏＥ（Power over Ethernet （登録商標））給電に利用される。イーサネット（登録商標）の通信では、伝送ケーブルＬ１，Ｌ２がそれぞれ備える４対８芯のペア線のうち、送信用と受信用とに１対ずつのペア線が使用されている。なお、ＰｏＥ給電には、信号を伝送するペア線と電力を供給するペア線とを共用する方式と、信号伝送に使用していない２対のペア線を使用して電力を供給する方式とがある。
【００２２】
第１接続部２１は、第１の伝送ケーブルＬ１が備える複数対のペア線がそれぞれ接続される速結式の接続端子（例えばフォーク型の圧着端子からなる）を備えた端子台で構成されている。なお第１接続部２１は、第１の伝送ケーブルＬ１に結線されたＲＪ−４５型のモジュラプラグが着脱自在に接続されるモジュラジャックでもよい。
【００２３】
第２接続部２２は、第２の伝送ケーブルＬ２に結線されたＲＪ−４５型のモジュラプラグ（図示せず）が着脱自在に接続されるＲＪ−４５型のモジュラジャック２２ａで構成されている（図１（ｂ）参照）。このモジュラジャック２２ａは化粧プレート１１の前面に露出している。
【００２４】
また本実施形態の情報コンセント１は、第１接続部２１と第２接続部２２との間に伝送要素の電気的な処理を行う信号処理部２３を備えている。本実施形態では、壁材５０の裏側に先行配線された第１の伝送ケーブルＬ１を介してイーサネット（登録商標）の信号が伝送されるとともに、図示しない電源から第１の伝送ケーブルＬ１を介して情報コンセント１に電源が供給される。また、情報コンセント１と電気機器６０との間でも第２の伝送ケーブルＬ２を介してイーサネット（登録商標）の信号が送受信されるとともに、情報コンセント１から電気機器６０に電源が供給される。この場合、情報コンセント１の信号処理部２３は、第１接続部２１及び第２接続部２２のうち、一方の接続部から入力された信号の波形を整形した後、他方の接続部へと出力する波形整形機能を備えている。また信号処理部２３は、第１接続部２１から入力される電力で動作し、第２接続部２２に第２の伝送ケーブルＬ２を介して接続される電気機器６０に給電する機能も有している。
【００２５】
また、本体１０の表側には、動作状態を点灯状態で表示するための表示灯２４が設けられている。表示灯２４は例えば発光ダイオードからなり、信号処理部２３は、第１接続部２１を介してイーサネット（登録商標）の信号を受信すると、表示灯２４を点滅させている。したがって、表示灯２４が点滅していることから、ノード間でリンクが確立し、正常に動作していることを確認することができる。
【００２６】
ところで、信号処理部２３が備える機能は波形整形機能に限定されるものではなく、信号のプロトコルを変換する変換機能を備えていてもよい。例えば図１（ｃ）に示すように、化粧プレート１１の前面にＵＳＢ（Universal Serial Bus）規格に準拠したレセプタクルコネクタ２２ｂを配置し、情報コンセント１と電気機器６０との間でＵＳＢ規格に準拠した通信を行うようにしてもよい。この場合、信号処理部２３は、第１の伝送ケーブルＬ１を介して伝送されるイーサネット（登録商標）の信号と、第２の伝送ケーブルＬ２を介して伝送されるＵＳＢ規格の信号とのプロトコル変換を行う機能を有している。また信号処理部２３は、電源（図示せず）から第１の伝送ケーブルＬ１を介して入力される電力（例えばＤＣ４８Ｖ）を、ＵＳＢ規格に準拠した電圧値（例えばＤＣ５Ｖ）に変換して、第２接続部２２から第２の伝送ケーブルＬ２へと供給する。
【００２７】
このように、信号処理部２３は、イーサネット（登録商標）の信号とＵＳＢ規格の伝送信号とをプロトコル変換しており、使用する電気機器６０の通信規格に合わせた信号を出力することができる。
【００２８】
本実施形態の情報コンセント１において、本体１０の前面に複数個（図２の例では３個）の第２接続部２２が設けられ、信号処理部２３に、第１接続部２１と複数ある第２接続部２２との間で伝送信号を中継する機能を持たせてもよい（図２（ａ）（ｂ）参照）。
【００２９】
図２（ｂ）の例では、複数の第２接続部２２がＲＪ−４５型のモジュラジャック２２ａからなり、信号処理部２３が、第１接続部２１と複数の第２接続部２２との間で伝送信号を中継するＨＵＢとしての機能を備えている。これにより、複数の電気機器６０を情報コンセント１に接続でき、多出力の情報コンセント１を実現できる。
【００３０】
なお、図２（ｂ）の例では表示部２４が１個しかないが、情報コンセント１は、複数の表示部２４のそれぞれについて、リンクが確立しているか否かを表示する表示部２４を備えてもよい。
【００３１】
また、図２（ｃ）に示すように、複数の第２接続部２２として、ＵＳＢ規格に準拠したレセプタクルコネクタ２２ｂを配置し、情報コンセント１と電気機器６０との間でＵＳＢ規格に準拠した信号を送受信するようにしてもよい。この場合、信号処理部２３は、複数ある第２接続部２２と第１接続部２１との間で伝送信号を中継するＨＵＢとしての機能を備えている。また、信号処理部２３は、第１の伝送ケーブルＬ１を介して伝送されるイーサネット（登録商標）の信号と、第２接続部２２と電気機器６０との間で伝送されるＵＳＢ規格の信号との間でプロトコルを変換する機能を備える。
【００３２】
また、本実施形態の情報コンセント１において、本体１０の表側に、電気機器６１に給電するための電源ケーブルＬ３が接続される第３接続部２５を設け、第３接続部２５に給電する電源回路２６を備えてもよい（図３（ａ）（ｂ）参照）。
【００３３】
電源回路２６は、第１の伝送ケーブルＬ１から第１接続部２１を介して入力される電力を所望の電力（ＵＳＢ規格の場合は例えばＤＣ５Ｖ）に変換して第３接続部２５に供給する。
【００３４】
第３接続部２５は、ＵＳＢ規格に準拠したレセプタクルコネクタからなり、第３接続部２５に接続された電気機器６１に対して直流電圧の給電のみを行う。
【００３５】
また本体１０の表側には、ＲＪ−４５型のモジュラジャックからなる第２接続部２２ａが設けられている。
【００３６】
信号処理部２３は、第１接続部２１及び第２接続部２２ａのうち一方の接続部から入力された信号の波形を整形して他方の接続部に出力する波形整形機能を備えている。
【００３７】
このように、電気機器６１へ給電するための電源ケーブルＬ３が接続される第３接続部２５が本体６０の表側に設けられ、第１接続部２１を介して入力される電力を所望の電力に変換して第３接続部２５に出力する電源回路２６を備えることも好ましい。
【００３８】
これにより、第３接続部２５に接続された電気機器６１に対して電力の供給のみを行うことができる。
【００３９】
なお、図３（ａ）（ｂ）の例では、ＲＪ−４５型のモジュラジャックからなる第２接続部２２ａが設けられているが、図３（ｃ）に示すようにＵＳＢ規格に準拠したレセプタクルコネクタからなる第２接続部２２ｂが設けられていてもよい。
【００４０】
この場合、信号処理部２３は、第１の伝送ケーブルＬ１を介して伝送されるイーサネット（登録商標）の伝送信号と、第２の伝送ケーブルＬ２を介して伝送されるＵＳＢ規格の伝送信号との間でプロトコルを変化する機能を備えている。これにより、情報コンセント１は、第２接続部２２ｂに接続されるＵＳＢ機器に対しては信号の伝送と電力の供給の両方を行うことができ、また第３接続部２５に接続されるＵＳＢ機器に対しては電力の供給のみを行うことができる。
【００４１】
また、上述の実施形態では本体１０の表側に１種類の第２接続部しか設けられていないが、図４（ａ）（ｂ）に示すように、イーサネット（登録商標）に対応した第２接続部２２ａと、ＵＳＢ規格に対応した第２接続部２２ｂとが本体１０の前側に設けられていてもよい。この場合、情報コンセント１は、ＨＵＢ２３ａ及び信号変換部２３ｂからなる信号処理部２３を備えている。ＨＵＢ２３ａは、第１接続部２１と第２接続部２２ａ，２２ｂとの間で信号を中継する。信号変換部２３ｂは、ＨＵＢ２３ａと、ＵＳＢ規格に適合した第２接続部２２ｂとの間で信号のプロトコル変換を行う。
【００４２】
これにより、情報コンセント１に対して２種類の信号を接続することができる。
【００４３】
以上説明したように、本実施形態の情報コンセント１は、壁材５０に設けた取付用の孔５１に後部を挿入した状態で壁材５０に取り付けられる本体１０を備える。本体１０の後部には第１接続部２１が設けられ、本体１０の表側には第２接続部が設けられる。第１接続部２１には、１対以上のツイストペア線を有し前記ツイストペア線を介して複数種類の伝送要素を伝送する第１の伝送ケーブルＬ１が壁材５０の裏側から接続される。第２接続部２２には、電気機器６０からの第２の伝送ケーブルＬ２が接続される。第２接続部２２に接続される電気機器６０と伝送ケーブルＬ２との間で伝送要素が伝送されるように情報コンセント１は構成されている。
【００４４】
このように、第１接続部２１に第１の伝送ケーブルＬ１を接続し、第２接続部２２に第２の伝送ケーブルＬ２を接続するだけで、電気機器６０に対して複数種類の伝送要素を伝送することができる。よって、複数種類の伝送要素を伝送可能でありながら、配線接続の手間を少なくした情報コンセント１を提供することができる。
【００４５】
本実施形態の情報コンセント１において、第１接続部２１と第２接続部２２との間に伝送要素の電気的な処理を行う信号処理部２３を備えることも好ましい。情報コンセント１が信号処理部２３を備えることによって、第１接続部２１と第２接続部２２との間で伝送される伝送要素に対して、所望の電気的な処理を行うことができる。
【００４６】
本実施形態の情報コンセント１において、信号処理部２３が、信号プロトコルを変換する処理、伝送要素を中継する処理、及び信号波形を整形する処理のうち何れかの処理を行うように構成されることも好ましい。信号プロトコルを変換する処理とは、第１の伝送ケーブルＬ１を介して伝送される伝送要素と第２の伝送ケーブルＬ２を介して伝送される伝送要素との間で信号プロトコルを変換する処理である。伝送要素を中継する処理とは、第１接続部２１と複数ある第２接続部２２との間で伝送要素を中継する処理である。信号波形を整形する処理とは、第１接続部２１及び第２接続部２２のうちの一方から入力された伝送要素の信号波形を整形して他方に出力する処理である。
【００４７】
これにより、情報コンセント１が、信号プロトコルの変換機能、伝送要素の中継機能、伝送要素の信号波形を整形する機能の何れかを提供することができる。
【００４８】
本実施形態の情報コンセント１において、第１接続部２１には、ＬＡＮケーブルである第１の伝送ケーブルＬ１が接続され、第２接続部２２は、ＲＪ−４５型のモジュラプラグが着脱自在に接続されるモジュラジャック２２ａであることも好ましい。これにより、ＬＡＮに接続される電気機器を情報コンセント１に接続してイーサネット（登録商標）の通信を行わせることができる。
【００４９】
本実施形態の情報コンセント１において、第１接続部２１には、ＬＡＮケーブルである第１の伝送ケーブルＬ１が接続され、第２接続部２２は、ＵＳＢ規格に適合したプラグが着脱自在に接続されるレセプタクルであることも好ましい。
【００５０】
これにより、ＵＳＢ規格の通信機能を有する電気機器を情報コンセント１に接続してＵＳＢ規格に準拠した通信を行わせることができる。
【００５１】
本実施形態の情報コンセント１において、第２接続部２２が複数あることも好ましく、情報コンセント１に接続される複数台の電気機器に対して伝送要素を伝送することができる。
【００５２】
本実施形態の情報コンセント１において、動作状態を点灯状態で表示するための表示灯２４が本体１０の表側に設けられることも好ましく、表示灯２４の表示によって動作状態を把握することができる。
【００５３】
本実施形態の情報コンセント１において、第１の伝送ケーブルＬ１を介して伝送される伝送要素が電力を含み、電気機器６１へ給電するための電源ケーブルＬ３が接続される第３接続部２５が本体１０の表側に設けられ、第１接続部２１を介して入力される電力を所望の電力に変換して第３接続部２５に出力する電源回路２６を備えることも好ましい。
【００５４】
これにより、第３接続部２５に接続された電気機器６１に対して電源回路２６から電力を供給することが可能になる。
【００５５】
なお、本発明の精神と範囲に反することなしに、広範に異なる実施形態を構成することができることは明白なので、この発明は、特定の実施形態に制約されるものではない。
【符号の説明】
【００５６】
１  情報コンセント
１０  本体
２１  第１接続部
２２  第２接続部
５０  壁材
５１  孔
６０  電気機器
Ｌ１  第１の伝送ケーブル
Ｌ２  第２の伝送ケーブル
【図１】
2015002589.tif 000003
【図２】
2015002589.tif 000004
【図３】
2015002589.tif 000005
【図４】
2015002589.tif 000006